(57)【要約】【課題】  従来のダブルクリップにおける書類の捲り難さや、レバー操作の煩雑さを解消し、丈夫で使い勝手が良く、しかも外観的にも体裁の良いクリップを提供することを目的とする。【解決手段】  板状の弾性体を折り曲げることにより形成される一対の挟持片と、前記挟持片を連結する連結片と、各挟持片の先端縁から各々の挟持片に沿って隙間を保って外側へ折り返してなる補助片と、前記挟持片を開閉するための一対のレバーとを備え、前記隙間には各レバーが各隙間内に収納可能に回動するための軸部を備える。【選択図】      図１
2010158774.tif 000002
【特許請求の範囲】
【請求項１】
板状の弾性体を折り曲げることにより形成される一対の挟持片（２，２）と、前記挟持片（２，２）を連結する連結片（３）と、各挟持片（２，２）の先端縁から各々の挟持片に沿って隙間（８，８）を保って外側へ折り返してなる補助片（４，４）と、前記挟持片を開閉するための一対のレバー（５，５）と、を備え、
前記隙間（８，８）には各レバー（５，５）が各隙間（８，８）内に収納可能に回動するための軸部（６，６）を備えていることを特徴とするクリップ。
【請求項２】
前記挟持片（２，２）又は補助片（４，４）の側縁に、収納時のレバー（５，５）の一部が露出する切欠部（９，９）を備えていることを特徴とする請求項１記載のクリップ。
【請求項３】
前記隙間（８，８）の幅は前記レバー（５，５）の太さに略一致していることを特徴とする請求項１又は２記載のクリップ。
【請求項４】
前記隙間（８，８）内には一対のレバー（５，５）を開閉操作する位置で位置決めするための回動規制手段（７，７）が設けてあることを特徴とする請求項１、２又は３記載のクリップ。
【請求項５】
前記回動規制手段（７，７）は、隙間（８，８）内へのレバー（５，５）の収納時に当該レバー（５，５）と交差するように設けてあることを特徴とする請求項４記載のクリップ。
【発明の詳細な説明】
【技術分野】
【０００１】
この発明は書類等を挟持するクリップに関するものである。
【背景技術】
【０００２】
書類をまとめる場合には、ダブルクリップと称されるクリップが広く用いられている。従来の一般的なダブルクリップは、板状の弾性体を折り曲げて形成された一対の挟持片と、これらを連結する連結片と、挟持片先端縁に回動自在に取り付けられた一対のレバーとで構成されており、クリップの開閉や書類を捲る場合にはレバーをクリップ後方に倒し、書類を保管する場合にはレバーを前に倒して使用する。
【発明の開示】
【発明が解決しようとする課題】
【０００３】
前記ダブルクリップには、綴った書類を捲る際に、レバーが邪魔となる問題点があった。さらには、綴った書類の閲覧時や保管時、またはクリップの開閉時の各時点に応じてレバーを前後に倒す操作を行わなければならいといった煩わしさもあった。
【０００４】
これらの問題点を解消するため、挟持片表面に沿って回動するレバーを設けたダブルクリップが発明され、その結果、書類が捲りやすくなり、書類の保管時や閲覧時のレバー操作の煩わしさも解消された（例えば特許文献１、特許文献２）。
しかしながら上記発明においても、レバーもしくはその結合部は外面に露出しており、その露出しているレバー等の部分に物が引っ掛かったり、あるいは衝撃等が加わることによってレバーもしくは結合部が破損するという問題点があった。
【特許文献１】特開平８−７２４５３
【特許文献２】特開平１０−３１５６７３
【０００５】
そこで本発明は、上記の問題点を解決するためになされたものであり、丈夫で使い勝手が良く、しかも外観的にも体裁の良いクリップを提供することを目的とする。
【課題を解決するための手段】
【０００６】
上記目的を達成するために、本発明のうち請求項１記載の発明は、板状の弾性体を折り曲げることにより形成される一対の挟持片と、前記挟持片を連結する連結片と、各挟持片の先端縁から各々の挟持片に沿って隙間を保って外側へ折り返してなる補助片と、前記挟持片を開閉するための一対のレバーとを備え、前記隙間には各レバーが各隙間内に収納可能に回動するための軸部を備えていることを特徴とする。軸部は挟持片内面又は補助片内面に、直接加工で設けても良いし、別部材を固着して設けても良い。
【０００７】
このように構成すると、各レバーは軸部を中心として回動することにより挟持片と補助片との隙間に収納されるので、回動操作時に摘むためのレバーの一部を除き、レバーが外部に露出することがない。
【０００８】
ところで、請求項２記載の発明のように、挟持片又は補助片の側縁に、収納時のレバーの一部が露出する切欠部を形成しておけば、その露出しているレバー部分を摘んで回動操作ができると共に、隙間にレバーを収納している時には、レバーがクリップ本体からはみ出ることがなく、また挟持片に切欠部を形成した場合には、外部からレバーが見えなくなる。前記切欠部は挟持片又は補助片の一側縁だけに形成しても良いが、両側縁にそれぞれ形成しても良い。
【０００９】
ここで、前記隙間はレバーが収納できる幅であれば特に限定するものではないが、請求項３記載の発明のように、隙間の幅を前記レバーの太さに略一致するように構成すると、レバーは挟持片と補助片とに適度に押さえつけられ、安定的にレバー操作ができるようになる。
【００１０】
さらに請求項４記載の発明のように、隙間内に、一対のレバーを開閉操作する位置で位置決めするための回動規制手段を設けるように構成すると、レバーは当該位置にて停止するため、レバーの開閉操作が容易に行える。ここで回動規制手段は、挟持片内面又は補助片内面に設ければ良く、それを設ける手法としては、直接加工しても良いし、または別部材を接合しても良い。また、回動規制手段は、各レバーに対して一個だけでも良いが、複数個設けても良く、さらに、その形状は特に限定されず、例えば粒状や線状などが挙げられる。
【００１１】
前記回動規制手段は、隙間内にレバーが収納された際に当該レバーと交差しない状態に設けても良いが、請求項５記載のように、レバーと交差するように設けておけば、レバーが収納された時にはレバーを隙間内で更に強く押圧して収納状態を安定させることができる。
【発明の効果】
【００１２】
本発明のうち請求項１記載の発明は、挟持片と補助片との隙間に軸部を設け、回動操作によりレバーを前記隙間内に収納できるように構成することによって、レバーの不必要時にはレバーの少なくとも一部を除き外側に露出しないようにしたので、書類の保管時や書類を捲る際にはレバーが邪魔になることはなく、非常に使い勝手が良く、しかも、レバーは外部からの衝撃を受け難く丈夫な構造であり、外観的にも体裁の良いクリップを提供できるものである。
【００１３】
本発明のうち請求項２記載の発明は、請求項１記載の効果に加えて、隙間にレバーを収納した際には、レバーがクリップ本体から外方へはみ出ることがないので、レバーが引っ掛かかって損傷する恐れが一層少なくなり、格段に堅牢性と使用上の利便性とを兼ね備えることになる。さらに挟持片に切欠部を形成した場合には、レバーが外側から見えなくなり、外観上の体裁がより一層優れた製品を提供できる。
【００１４】
本発明のうち請求項３記載の発明は、請求項１及び２記載の効果に加えて、レバーが挟持片と補助片により適度に押えつけられるので、レバーの回動操作を安定的に行い得るクリップを提供できる。
【００１５】
本発明のうち請求項４記載の発明は、請求項１乃至３記載の効果に加えて、レバーが開閉操作位置で停止するので、クリップの開閉操作を容易且つ安定的に行うことができる。
【００１６】
本願発明のうち請求項５記載の発明によると、請求項４記載の効果に加えて、レバーの収納時に当該レバーは隙間内で強く押圧され収納状態が安定し、衝撃等により不意にレバーが回動して外に出ることがない。
【発明を実施するための最良の形態】
【００１７】
以下、本発明の実施の形態について、添付図面を参照して詳細に説明する。第一実施形態として、図１に斜視図を、図２はクリップ開閉時の正面図を、図３はレバー収納時の正面図を、図４に断面図を示す。クリップ本体１は板状の弾性体により形成され、一対の挟持片２，２と、これら挟持片２，２を連結し且つ一対の挟持片２，２を挟む方向に付勢する連結片３と、各挟持片の先端縁より各々の挟持片に沿って隙間８，８を保つよう外側に折り返してなる補助片４，４とを備えている。
【００１８】
前記一対の挟持片２，２の内面に、各隙間８内に突出する軸部６，６を、プレス加工を施すことにより直接形成し、各軸部６には、クリップ本体１を開閉操作するためのレバー５，５が回動可能に軸支されている。レバー５，５は、クリップ本体１の横幅よりも長い略楕円形状の環体に形成してある。さらに、挟持片２，２の内面には回動規制手段として、隙間側に突出する線状の突条７，７が、収納時のレバー５に略直交する形で、軸部６の左右位置にプレス加工により直接形成してある。なお、隙間８の幅はレバー５の厚さ（太さ）と略一致するように形成する。
【００１９】
以上のように構成された本発明に係るクリップは、レバー５，５を隙間８，８に安定的に収納でき、開閉操作も容易であり、回動操作も安定して行うことができる。以下に本発明に係るクリップの具体的な使用方法を説明する。
【００２０】
クリップ本体１の開閉は、まず、レバー５，５を図２に示す位置に回動させる。この回動の際、レバー５、５が一方の突条７を乗り越えて前記位置に達すると、レバー５，５は一対の突条７，７に挟み込まれて位置決めされる。次に、位置決めされたレバー５，５の端部を摘み込むと、梃の原理によりクリップ本体１が開閉し、クリップ本体１を書類へ挟み込みこんだり、書類から抜き取ったりすることができる。この際、レバー５，５が位置決めされているため、安定してレバー５，５を摘み込むことができる。
【００２１】
レバー５，５の収納方法は、図３に示す様に、レバー５の長手方向がクリップ横方向と略平行となるようにレバー５，５を回動させた後、隙間８，８にレバー５，５を挿入すれば収納できる。収納された各レバー５は、補助片４と一対の突条７，７に強く押圧されているため収納状態が安定し、衝撃等により不意にレバー５が回動して外に出ることがない。
【００２２】
本発明に係るクリップの使用形態は、通常はレバー５，５を隙間に収納しておき、クリップ本体１の開閉時のみレバー５，５を回動させれば良い。このようにすると、書類を捲る際にレバー５，５が邪魔にならず、また頻繁にレバー操作をする必要もないので、非常に使い勝手が良い。また、レバー５，５の収納により、レバー５，５、は外部の衝撃から保護され、外観的にもクリップの体裁が良くなる。さらに、クリップをケース等に収納する場合にも、嵩張らない。
【００２３】
図５は第二実施形態を示し、レバー５，５の長さはクリップ本体１の横幅と略一致とし、外側に位置する補助片４，４の横幅を、内側に位置する挟持片２，２の横幅より短くして、収納時のレバー５，５の一部が外部に露出するように各補助片４の側縁に切欠部９を形成したものである。図示したものは一端を基準として横幅を一律短くしたものであるが、中央を基準として短くすることにより補助片４，４の両側縁に切欠部９，９を形成しても良い。これらの形態により、レバー５，５はクリップ本体１からはみ出すことなく隙間内に収納できると共に、クリップを小型化することができ、また回動操作時には隙間８からレバー５，５を容易に取り出すこともできる。
【００２４】
図６は第三実施形態を示し、レバー５，５の長さはクリップ本体１の横幅と略一致とし、補助片４，４の両側縁に切欠部９，９を形成し、回動操作時においてレバー５，５の取出しを容易にしたものであり、第二実施形態と同様の効果が得られる。なお、図示したものは補助片４，４の両端に切欠部９，９を設けてあるが、一端に設けるだけでも良い。
【００２５】
図７は第四実施形態を示し、第三実施形態に対して、切欠部９，９を補助片４，４ではなく挟持片２，２の両側縁に形成したものである。これによると、収納時にレバー５，５が外側に露出しなくなり、堅牢性や外観上の体裁がより一層優れたものとなる。切欠部９，９は、一端に設けるだけでも良い。
【図面の簡単な説明】
【００２６】
【図１】本発明のクリップの第一実施形態を示す斜視図である。
【図２】図１において、クリップ開閉使用時の正面図である。
【図３】図１において、レバー収納時の正面図である。
【図４】図２のＡ−Ａ線における断面図である。
【図５】本発明のクリップの第二実施形態の正面図である
【図６】本発明のクリップの第三実施形態の正面図である
【図７】本発明のクリップの第四実施形態の正面図である
【符号の説明】
【００２７】
１  クリップ本体
２  挟持片
３  連結片
４  補助片
５  レバー
６  軸部
７  突条（回動規制手段）
８  隙間
９  切欠部
【図１】
2010158774.tif 000003
【図２】
2010158774.tif 000004
【図３】
2010158774.tif 000005
【図４】
2010158774.tif 000006
【図５】
2010158774.tif 000007
【図６】
2010158774.tif 000008
【図７】
2010158774.tif 000009